(57)【特許請求の範囲】
【請求項１】
基台と、
下面が解放され、前記基台上に設置されることで、基台との間に電気的機能部収納空間を形成し、さらに上面につまみ挿通孔を設けたケースと、
前記ケース上に設置され、前記つまみ挿通孔を介して前記電気的機能部収納空間内に配置した電気的機能部を回転操作する回転つまみと、
前記ケースの外周側面を囲むように当接させた弾性を有する防滴部材と、
前記基台を載置する取付部材と、
を有し、
前記防滴部材は、前記ケースの外周側面に当接する当接部と、前記当接部の外周から半径方向外方に張り出して前記当接部の外周側を囲む接続部と、前記接続部の周囲に形成される肉厚部とを具備して構成され、
前記ケースは、前記基台上に設置されるケース本体と、前記ケース本体の外側に配置されると共に前記取付部材に固定される固定部と、前記ケース本体と前記固定部間を接続して前記ケース本体を揺動自在に支持するヒンジ部と、を具備して構成され、
前記防滴部材の接続部は、前記ヒンジ部の上部を覆うことを特徴とする回転式電子部品。
【請求項２】
請求項１に記載の回転式電子部品であって、
前記回転つまみの上面を露出する開口を有してその周囲を覆う外装ケースをさらに有し、
前記防滴部材の肉厚部は、前記外装ケースと前記取付部材の間に挟持されることを特徴とする回転式電子部品。
【請求項３】
請求項１又は２に記載の回転式電子部品であって、
前記回転つまみはその外周から下方向に向かう側壁部を有し、前記防滴部材の当接部は、前記回転つまみの側壁部の内周側に位置していることを特徴とする回転式電子部品。
【請求項４】
請求項１又は２又は３に記載の回転式電子部品であって、
前記取付部材と前記基台との間には、前記ケース本体と共に揺動する基台によって操作される第２電気的機能部が設置されていることを特徴とする回転式電子部品。
【発明の詳細な説明】
【技術分野】
【０００１】
本発明は、防滴機能を有する回転式電子部品に関するものである。
【背景技術】
【０００２】
車載用ナビゲーションシステム、コンピュータ、各種携帯機器、各種ＯＡ機器、ゲーム機等を操作するデバイスとして、多機能型電子部品がある。この種の多機能型電子部品は、回転式電子部品の回転つまみの中央に、押圧式電子部品の押釦つまみを設置し、さらに回転つまみの上面を押圧して揺動することで操作する揺動式電子部品を具備して構成されている。この多機能型電子部品によれば、回転式電子部品の機能と押圧式電子部品の機能と揺動式電子部品の機能とを兼ね備えた多機能型電子部品をコンパクトに構成できる。なお、回転つまみは、一般に、外装ケースに設けた開口内に露出するように設置される。
【０００３】
そして、上記構成の多機能型電子部品においては、回転つまみと、外装ケースの開口との間の隙間等から浸入した水が、回転式電子部品の電気的機能部（摺動子や摺接パターン）や、その他の部分に浸入することを防止することが求められる。
【０００４】
前記電気的機能部への防滴を図る機構として、例えば特許文献１では、回転つまみ（８０）と表示部材（３０）との間に、第１弾性防水部材（３００）を挟持する機構が開示されている。しかし、この機構の場合、静止側部材である表示部材（３０）と回転側部材である回転つまみ（８０）との間に第１弾性防水部材（３００）を挟持しているので、回転つまみ（８０）の回転に、大きな摩擦力が生じてしまい、その回転操作に強い力（回転トルク）が必要になってしまう。
【先行技術文献】
【特許文献】
【０００５】
【特許文献１】特開２０１４−６００３０号公報
【発明の概要】
【発明が解決しようとする課題】
【０００６】
本発明は上述の点に鑑みてなされたものでありその目的は、回転つまみの回転をスムーズに行わせることができると同時に、電気的機能部への液体の浸入を効果的に防止することができる回転式電子部品を提供することにある。
【課題を解決するための手段】
【０００７】
本発明にかかる回転式電子部品は、基台と、下面が解放され、前記基台上に設置されることで、基台との間に電気的機能部収納空間を形成し、さらに上面につまみ挿通孔を設けたケースと、前記ケース上に設置され、前記つまみ挿通孔を介して前記電気的機能部収納空間内に配置した電気的機能部を回転操作する回転つまみと、前記ケースの外周側面を囲むように当接させた弾性を有する防滴部材と、前記基台を載置する取付部材と、を有し、前記防滴部材は、前記ケースの外周側面に当接する当接部と、前記当接部の外周から半径方向外方に張り出して前記当接部の外周側を囲む接続部と、前記接続部の周囲に形成される肉厚部とを具備して構成され、前記ケースは、前記基台上に設置されるケース本体と、前記ケース本体の外側に配置されると共に前記取付部材に固定される固定部と、前記ケース本体と前記固定部間を接続して前記ケース本体を揺動自在に支持するヒンジ部と、を具備して構成され、前記防滴部材の接続部は、前記ヒンジ部の上部を覆うことを特徴としている。
これによって、ケースの外周側面を伝ってその下側から電気的機能部収納空間内へ液体が浸入することを防止することができる。また防滴部材の当接は、固定側（静止側）の部材であるケースに対して行われるので、回転つまみの回転が阻害されることはなく、これをスムーズに回転させることができる。
【０００８】
また、当接部の外周側に接続部と肉厚部を設けることで、その上方側から浸入してくる液体がケースの外周から離れる外方向に導かれ、これによって、電気的機能部収納空間内への浸入をより効果的に防止することができる。
また、防滴部材の接続部がヒンジ部の上部を覆うことで、ケース本体の外周からヒンジ部（さらには固定部）に至る面全体を覆って塞ぐことができ、これによって、その下方に向けて液体が浸入していくことを防止することができる。
【０００９】
また本発明は、前記回転つまみの上面を露出する開口を有してその周囲を覆う外装ケースをさらに有し、前記防滴部材の肉厚部は、前記外装ケースと前記取付部材の間に挟持されることを特徴としている。
これによって、回転つまみと外装ケースの開口との間の隙間から浸入した液体が、防滴部材の肉厚部（さらに言えば接続部の外周全体）の上部を越えて取付部材側に浸入することを効果的に防止できる。
【００１０】
また本発明は、前記回転つまみがその外周から下方向に向かう側壁部を有し、前記防滴部材の当接部は、前記回転つまみの側壁部の内周側に位置していることを特徴としている。
防滴部材の当接部が回転つまみの側壁部の内側に位置するので、回転つまみの外周側から浸入してくる液体が当接部に付着しにくくなり、この点からも、電気的機能部収納空間内への液体の浸入を効果的に防止することができる。また、回転式電子部品の高さ寸法を薄く構成することができる。
【００１２】
また本発明は、前記取付部材と前記基台との間に、前記ケース本体と共に揺動する基台によって操作される第２電気的機能部を設置したことを特徴としている。
本発明によれば、この第２電気的機能部への液体の浸入も確実に防止することができる。
【発明の効果】
【００１３】
本発明によれば、回転つまみの回転をスムーズに行わせることができると同時に、電気的機能部への液体の浸入を効果的に防止することができる。
【図面の簡単な説明】
【００１４】
【図１】回転式電子部品１−１の斜視図である。
【図２】回転式電子部品１−１の概略側断面図（図１のＡ−Ａ断面図）である。
【図３】回転式電子部品１−１の分解斜視図（その上側の部品）である。
【図４】回転式電子部品１−１の分解斜視図（その下側の部品）である。
【図５】基台４０とケース１００と防滴部材１４０と押釦つまみ１８０と回転つまみ２００を下側から見た分解斜視図である。
【図６】回転式電子部品１−１から、外装ケース２３０と回転つまみ２００と押釦つまみ１８０と第２防滴部材１７０とスペーサ部材１６０とを取り除いて示す斜視図である。
【図７】図３に示す防滴部材１４０のＢ−Ｂ断面拡大図である。
【図８】防滴部材１４０の取付板１０と外装ケース２３０による他の挟持構造を示す要部拡大断面図である。
【図９】防滴部材１４０の取付板１０と外装ケース２３０による他の挟持構造を示す要部拡大断面図である。
【図１０】防滴部材１４０の取付板１０と外装ケース２３０による他の挟持構造を示す要部拡大断面図である。
【図１１】防滴部材１４０の取付板１０と外装ケース２３０による他の挟持構造を示す要部拡大断面図である。
【図１２】防滴部材１４０の取付板１０と外装ケース２３０による他の挟持構造を示す要部拡大断面図である。
【発明を実施するための形態】
【００１５】
以下、本発明の実施形態を図面を参照して詳細に説明する。図１は本発明の一実施形態にかかる回転式電子部品（多機能型電子部品）１−１の斜視図、図２は回転式電子部品１−１の概略側断面図（図１のＡ−Ａ断面図）、図３は回転式電子部品１−１の分解斜視図（その上側の部品）、図４は回転式電子部品１−１の分解斜視図（その下側の部品）、図５は回転式電子部品１−１の部品である基台４０とケース１００と防滴部材１４０と押釦つまみ１８０と回転つまみ２００とを下側から見た分解斜視図である。なお以下の説明において、「上」とは基台４０から回転つまみ２００側を見る方向をいい、「下」とはその反対方向をいうものとする。
【００１６】
これらの図に示すように回転式電子部品１−１は、取付部材（以下「取付板」という）１０上に、第２回路基板２０と、基台４０と、第１回路基板３０と、摺動子７０と、クリック板８０と、ケース１００と、防滴部材１４０と、スペーサ部材１６０と、第２防滴部材１７０と、押釦つまみ１８０と、回転つまみ２００と、外装ケース２３０とを設置して構成されている。
【００１７】
取付板１０は、金属製の硬質板（例えば鉄板）製であり、所定の４か所（下記するケース１００の各取付部１１７に対向する位置）にそれぞれ小孔からなる取付部１１を設け、また所定の４か所（下記するケース１００の各取付用突部１１３に対向する位置）に略矩形状の開口部１３を設けて構成されている。
【００１８】
第２回路基板２０は、可撓性を有する合成樹脂フィルム上に所望の回路パターンを形成して構成されており、その上面の中央に中央スイッチ２１を設置し、中央スイッチ２１の周囲を囲む位置に等間隔（９０°間隔）に複数（４つ）の押圧スイッチ２３を設置して構成されている。中央スイッチ２１及び押圧スイッチ２３の上には、弾性金属板をドーム形状に形成してなる反転板が設置されている。第２回路基板２０の上面には、図２に示すように、防水シート２５が貼り付けられている。また第２回路基板２０の所定の４か所（前記取付板１０の各取付部１１に対向する位置）にそれぞれ小孔からなる取付部２７が設けられ、また所定の４か所（前記取付板１０の各開口部１３に対向する位置）に開口部１３と同一形状の開口部２９が設けられている。
【００１９】
基台４０は、合成樹脂を略円形の板状に一体成形して構成されている。基台４０の中央には上方向に突出する筒状突起部４１が設けられ、筒状突起部４１の内側には支持突起４３が突出され、支持突起４３の中央には押圧部挿通部４５が設けられている。押圧部挿通部４５は、下記する押釦つまみ１８０の押圧部１８３及び回り止め係合部１８７を挿通する非円形の形状に形成されている。基台４０の外周近傍であって、下記するケース１００の各取付用突部１１３に対向する位置には、貫通する小孔からなる４つの挿入部４７が設けられている。また基台４０の下面の所定の４か所（前記各押圧スイッチ２３に対向する位置）には下方向に向かって柱状に突出する押圧部４９が形成されている。
【００２０】
第１回路基板３０は略円形の外形（前記基台４０と略同じ外形）を有し、中央に前記基台４０の筒状突出部４１を挿通する円形の開口部３１を設け、またその外周近傍の所定位置（略等間隔の４か所）に貫通する小孔からなる挿通部３３を設け、またその上面の開口部３１の周囲を囲む位置に電気的機能部の一部を構成する摺接パターン３５を形成して構成されている。第１回路基板３０の外周には帯状の連結部３７が接続されている。連結部３７は図示はしないが第２回路基板２０に接続されている。摺接パターン３５の具体的構成は図示していないが、スイッチパターンであっても良いし、抵抗体パターンであっても良いし、それら以外の各種機能を有するパターンであっても良い。
【００２１】
摺動子７０は弾性金属板をリング状に形成して構成されている。摺動子７０の中央には略円形の開口部７１が形成され、また等間隔の複数位置（３か所）には小孔からなる取付固定部７３が設けられ、さらに各取付固定部７３近傍からは円弧状の摺接ブラシ７５が突出している。各摺接ブラシ７５の先端は摺動接点７７になっている。また各摺接ブラシ７５の根元部分は少し下方向に折り曲げられている。
【００２２】
クリック板８０は弾性金属板を円形に形成した本体部８１と、本体部８１の外周を囲む位置に設置された一対の半円弧状のアーム部８３とを一体に形成して構成されている。本体部８１の中央には開口部８５が設けられ、また本体部８１の所定位置には複数（６つ）の小孔からなる取付部８７が形成されている。本体部８１の外周の１８０°対向する位置には、半径方向外方に突出して両アーム部８３の根元部分に連結する一対の連結部８９が設けられている。両アーム部８３の中間位置にはクリック板８０の上面側に向かって突出する突起状のクリック弾接部９１が形成されている。
【００２３】
ケース１００は、基台４０上に設置されるケース本体１０１と、ケース本体１０１の外側に配置されると共に取付部材１０に固定される固定部１０３と、ケース本体１０１と固定部１０３間を接続してケース本体１０１を揺動自在に支持するヒンジ部１０５とを具備し、これらを合成樹脂で一体に成形して構成されている。
【００２４】
ケース本体１０１は、円形平板状の上面部１０７を備え、上面部１０７の中央に下記する回転つまみ２００の軸支部２０７を回動自在に挿入・軸支する円形の開口からなるつまみ挿通孔１０９を設け、また上面部１０７の外周に下方向に円筒状に突出する側壁部１１１を設けて構成されている。つまり、ケース本体１０１は、下面が解放され、前記基台４０上に設置されることで、基台４０との間に電気的機能部収納空間Ａ１（図２参照）を形成し、さらに上面につまみ挿通孔１０９を設けた構成となっている。また側壁部１１１の下面からは、下方向に向かって突出する複数（４つ）の取付用突部１１３が突出している。また上面部１０７の下面には、クリック板８０のクリック弾接部９１が弾接係合する環状の凹凸からなるクリック係合部１１５が形成されている。
【００２５】
固定部１０３とヒンジ部１０５は、両者によって略矩形の枠体状に形成されており、枠体の４辺がそれぞれ４つのヒンジ部１０５を構成し、枠体の４つの角部が固定部１０３を構成している。各ヒンジ部１０５は、略Ｔ字状の薄板からなり、その両端部分を固定部１０３に連結すると共に、その中間位置から水平方向内側に突出する部分をケース本体１０１の外周側壁の下部に連結している。各固定部１０３の下面はヒンジ部１０５よりも下方に位置していてそれらの下面からは小突起状の取付部１１７が突出している。また各固定部１０３の上面からも小突起状の取付部１１９が突出している。
【００２６】
図７は図３に示す防滴部材１４０のＢ−Ｂ断面拡大図である。同図及び図３，図５に示すように、防滴部材１４０は、弾性材（例えばラバー等）を略リング状で薄板状に成形して構成されており、その外周の一部に上下方向に肉厚な肉厚部（外周側壁）１４７を設けると共に、その中央に円形の開口１４１を設けている。防滴部材１４０の上面の開口１４１の周囲の部分には、上方向に向かって筒状に突出する当接部１４３が形成されている。当接部１４３の内径寸法（即ち開口１４１の内径寸法）は、前記ケース１００のケース本体１０１の外径寸法よりも少し小さい（略同一）寸法となっている。また当接部１４３の外周下部からその半径方向外方に向かって張り出して広がる肉薄部分は、当接部１４３の外周側を覆う接続部１４５となっている。そして接続部１４５の周囲の位置（１８０°対向する２箇所）に円弧状で上下方向に肉厚となっている前記肉厚部１４７が形成されている。言い換えれば、肉厚部１４７は防滴部材１４０の外周側壁の一部を構成しており、前記接続部１４５と共に防滴部材１４０の外周を形成している。
【００２７】
接続部１４５は、図７に示すように、当接部１４３の下端辺から斜め下外方に向けて突出し、次に水平となるように屈曲し、さらに斜め上方向に向けて屈曲した後に、肉厚部１４７に接続されている。接続部１４５はこのように屈曲することで、当接部１４３の内径の拡大縮小を、弾性を持って変形・吸収できる。同時にこのように屈曲することで、接続部１４５の中央にリング状の凹部１４６を形成している。また接続部１４５は薄板リング状であって何ら開口等は設けられていない。防滴部材１４０の外周の複数位置（４か所）には、外方に半円状に突出する突出部１４９が形成され、各突出部１４９に上下に貫通する係止部１５１が形成されている。各係止部１５１は、前記ケース１００の取付部１１９を挿入する位置に形成されている。各突出部１４９を含む、肉厚部１４７を設けていない部分は凹部１５３となっている。
【００２８】
スペーサ部材１６０は薄板リング状であり、フッ素樹脂等の摺動性に優れた合成樹脂フィルムによって形成されており、ケース１００の上面部１０７の外形と略一致する円形の外形を有し、中央に前記ケース１００のつまみ挿通孔１０９と略同一内径の開口１６１を設けて構成されている。このスペーサ部材１６０は、回転つまみ２００とケース１００（上面部１０７）の間に設置されて回転つまみ２００の回転時のケース１００に対する回転摺動性を向上させると共に、ケース１００及び回転つまみ２００に密着してこの部分からの液体の浸入を防止するための部材である。
【００２９】
第２防滴部材１７０は弾性材（例えばラバーやスポンジ等）を略リング状に形成して構成されている。第２防滴部材１７０は、外周側に設けた横断面矩形状でリング状の基部１７１と、基部１７１の内周側から内側に向かって薄板状に突出する連結部１７３と、連結部１７３の内周先端辺部分に形成した横断面矩形状でリング状の先端部１７５とを具備している。連結部１７３は、基部１７１の内周から突出して斜め上方に向かって筒状（円錐台形の筒状）に突出する形状に形成されている。
【００３０】
押釦つまみ１８０は合成樹脂の成形品であり、略円板状の本体部１８１と、本体部１８１の下面中央から下方向に向かって突出する柱状の押圧部１８３とを具備し、また本体部１８１の外周下部から薄板リング状のつば部１８５を突出して構成されている。押圧部１８３の外周側面には１８０°反対側から半径方向に向かって突出し上下方向に延びる突条からなる一対の回り止め係合部１８７が設けられている。また本体部１８１の下面の押圧部１８３の周囲を囲む部分には、リング状で凹状の防滴部材当接部１８９が設けられている。
【００３１】
回転つまみ２００は合成樹脂の成形品であり、略円板状の本体部２０１の外周から下方に向かって筒状に側壁部２０３を突出して構成されている。本体部２０１の中央には上下に貫通して前記押釦つまみ１８０の本体部１８１を挿入する内径寸法（但しつば部１８５の外形寸法よりも小さい内径寸法）の円形の開口部２０５が設けられている。本体部２０１の下面の開口部２０５の周囲には下方向に向かって突出する筒状の軸支部２０７が設けられている。軸支部２０７の内径寸法は前記押釦つまみ１８０のつば部１８５を上下動自在に収納できる寸法であり、軸支部２０７の外径寸法は前記ケース１００のつまみ挿通孔１０９に挿入されて回動自在に軸支される寸法である。即ち言い換えればケース１００に設けたつまみ挿通孔１０９内に回動自在に挿入される軸支部２０７中央に開口部２０５を設けている。
【００３２】
軸支部２０７の下端辺の所定位置（６か所）からは、下方向に向かって小突起状の固定部２０９が突出している。各固定部２０９は前記クリック板８０の各取付部８７に対向する位置に設けられている。また回転つまみ２００の開口部２０５の内径寸法は、軸支部２０７の内径寸法よりも小さく、これによって回転つまみ２００下面の開口部２０５の周囲につば部当接部２１１を形成している。また回転つまみ２００の側壁部２０３の下部外周から外方に向けてつば部２１３が突出している。
【００３３】
外装ケース２３０は合成樹脂の成形品であり、前記回転つまみ２００の上面を露出する開口２３１を有して構成されている。開口２３１の内径寸法は、前記回転つまみ２００の側壁部２０３の外径寸法よりも大きく、つば部２１３の外径寸法よりも小さく形成されている。
【００３４】
次に回転式電子部品１−１の組立方法を説明する。まず回転つまみ２００の本体部２０１の下面にスペーサ部材１６０を設置する。このとき回転つまみ２００の軸支部２０７をスペーサ部材１６０の開口１６１に挿入する。次に、回転つまみ２００の開口部２０５にその下側から押釦つまみ１８０の本体部１８１を挿入し、本体部１８１の上面を開口部２０５から回転つまみ２００の上面側に露出させる。このときつば部１８５の上面はつば部当接部２１１に当接する。次に押釦つまみ１８０の下側に第２防滴部材１７０を設置し、その際、押釦つまみ１８０の防滴部材当接部１８９に第２防滴部材１７０の先端部１７５を当接する。
【００３５】
次にその下側に防滴部材１４０とケース１００とを設置し、その際、ケース本体１０１を防滴部材１４０の開口１４１内に挿入（圧入）し、同時にケース１００の各取付部１１９を防滴部材１４０の各突出部１５１に挿入し、さらに回転つまみ２００の軸支部２０７をケース１００のつまみ挿通孔１０９に回動自在に挿入する。このとき回転つまみ２００の側壁部２０３の内周側にケース本体１０１と、このケース本体１０１の外周に当接する防滴部材１４０の当接部１４３が入り込む。
【００３６】
次にケース１００のつまみ挿通孔１０９の下側に露出した回転つまみ２００の軸支部２０７の下面にクリック板８０と摺動子７０とを重ね合わせて設置し、その際軸支部２０７に設けた各固定部２０９をクリック板８０の各取付部８７と摺動子７０の各取付固定部７３に挿入し、挿入した各固定部２０９の先端を熱カシメして固定する。このときクリック板８０（本体部８１）はケース１００の下面のつまみ挿通孔１０９の周囲の部分に当接する。これによってケース１００に対して回転つまみ２００とクリック板８０と摺動子７０が一体に回転自在になる。またこのとき、第２防滴部材１７０の基部１７１はクリック板８０（本体部８１）上に当接し、先端部１７５は押釦つまみ１８０の防滴部材当接部１８９に当接して少し押し潰され、これによって両者間が弾発されることで押釦つまみ１８０が押し上げられる。同時に第２防滴部材１７０によって、その内側の空間が封止される。
【００３７】
次にその下側に第１回路基板３０と基台４０とを設置し、その際、ケース１００の各取付用突部１１３を第１回路基板３０の各挿通部３３と基台４０の各挿入部４７に挿入し、さらに押釦つまみ１８０の押圧部１８３を基台４０の押圧部挿通部４５に挿入する。そして基台４０の下面から突出するケース１００の各取付用突部１１３の先端を熱カシメする。これによって、摺動子７０の摺動接点７７が第１回路基板３０の摺接パターン３５に弾接する。
【００３８】
そして前記組立体の下側に、第２回路基板２０と取付板１０を配置し、その際、基台４０の各取付部１１７を第２回路基板２０の各取付部２７と取付板１０の各取付部１１に挿入する。そして取付板１０の下面から突出する各取付部１１７の先端を熱カシメによって固定する。なお、上記取付板１０までの組み立ては、回転つまみ２００を下側に向けて（上下逆転させて）、その他の部品を順番に上から積層していくことで組み立てることができるため、自動機による組み立てを行い易い。自動機による組み立てを行うことで人件費を削減でき、製造コストの削減を図ることができる。次に、前記組立体の上側に外装ケース２３０を配置し、図示しない位置で、外装ケース２３０と取付板１０間を固定する。このとき外装ケース２３０の開口２３１から回転つまみ２００の上部の部分が露出する。これによって、回転式電子部品１−１の組み立てが完了する。なお上記組立手順はその一例であり、他の各種異なる組立手順を用いて組み立てても良いことはいうまでもない。
【００３９】
そして上記回転式電子部品１−１の回転つまみ２００を回転操作すると、つまみ挿通孔１０９を介して電気的機能部収納空間Ａ１内に配置されたクリック板８０及び摺動子７０がこれと一体に回転し、これによってクリック板８０のクリック弾接部９１がケース１００のクリック係合部１１５に弾接係合してクリック感触が生じると共に、摺動子７０の摺動接点７７が第１回路基板３０の摺接パターン３５上を摺動して摺接パターン３５の検出出力が変化する。なお回転つまみ２００を回転した際、押釦つまみ１８０はその押圧部１８３の回り止め係合部１８７が基台４０の押圧部挿通部４５に係合しているので回転しない。また回転つまみ２００を回転した際の回転抵抗（回転トルク）には、回転つまみ２００と一体に回転する第２防滴部材１７０の先端部１７５が、静止している押釦つまみ１８０の防滴部材当接部１８９上を摺動する抵抗が含まれるが、この回転抵抗は小さい。一方、静止側の部材である防滴部材１４０の当接部１４３は、静止側のケース１００に当接しているので、回転つまみ２００の回転が防滴部材１４０によって阻害されることは全くなく、その回転抵抗の増加はなく、スムーズに回転させることができる。
【００４０】
一方、押釦つまみ１８０の本体部１８１の上面を押圧すると、押釦つまみ１８０が下降してその押圧部１８３が中央スイッチ２１の反転板を押圧して反転させ、これによって中央スイッチ２１がオンする。押釦つまみ１８０への押圧を解除すれば、前記反転板及び第２防滴部材１７０は元の形状に自動復帰し、押釦つまみ１８０は押し上げられて中央スイッチ２１はオフする。
【００４１】
さらに回転つまみ２００の本体部２０１上面の、前記基台４０の何れかの押圧部４９に対応する部分を下方向に押圧すると、ケース１００のヒンジ部１０５が撓むことで、基台４０上に設置されている各構成部品（ケース本体１０１や回転つまみ２００等）が基台４０と一体に押圧された方向に傾いて揺動し、下降した側の押圧部４９がこれに対向する押圧スイッチ２３の反転板を押圧して反転させてその押圧スイッチ２３をオンする。前記回転つまみ２００への押圧を解除すれば、前記反転板及びヒンジ部１０５の自動復帰力で基台４０及びその上の回転つまみ２００を含む各構成部品が一体に元の位置に自動復帰し、押圧スイッチ２３はオフする。
【００４２】
次にこの回転式電子部品１−１の防滴機能について説明する。液体は、外装ケース２３０の開口２３１と回転つまみ２００の外周の間の隙間Ｓ１（図２参照）の部分と、回転つまみ２００の開口部２０５と押釦つまみ１８０の本体部１８１の間の隙間Ｓ２の部分とから浸入する。隙間Ｓ２から浸入する液体は、第２防滴部材１７０によって、その内部への浸入が阻止される。
【００４３】
一方、隙間Ｓ１から浸入する液体は、防滴部材１４０の接続部１４５の上面に落ちる。ここで図６は図１に示す回転式電子部品１−１から、外装ケース２３０、回転つまみ２００、押釦つまみ１８０、第２防滴部材１７０、スペーサ部材１６０を取り除いて示す斜視図である。同図にも示すように、ケース１００（ケース本体１０１）の外周側面を囲むように弾性を有する防滴部材１４０の当接部１４３を当接（弾接）させて密閉しているので、前記隙間Ｓ１から浸入した液体が、ケース１００（ケース本体１０１）の外周側面を伝ってケース１００（ケース本体１０１）の下側からその内側、即ち電気的機能部収納空間Ａ１内に浸入することは阻止される。
【００４４】
一方、防滴部材１４０の外周上面（接続部１４５の外周上面であり、挟持される肉厚部１４７の上面を含む）は、図２に示すように、外装ケース２３０下面の開口２３１の全周囲に密着しているので、隙間Ｓ１から浸入した液体が、前記外周上面を越えてその外側から第２回路基板２０側に浸入することは確実に阻止される。また防滴部材１４０の接続部１４５は、ケース１００のヒンジ部１０５の上部全体を覆っているので、ケース本体１０１とヒンジ部１０５（さらには固定部１０３）との間に生じる開口ａ１（図４，図５参照）の部分は容易且つ確実に塞がれ、この開口ａ１から第２回路基板２０側への液体の浸入が確実に阻止される。また接続部１４５には、凹部１４６が設けられているので、隙間Ｓ１から浸入した液体はこの凹部１４６に溜まり、当接部１４３や肉厚部１４７側に移動しにくく、この点からも防滴効果を高めることができる。また、取付板１０と基台４０の間には、ケース本体１０１と共に揺動する基台４０によって操作される第２電気的機能部（中央スイッチ２１と押圧スイッチ２３）が設置されているが、上記のような防滴効果を有するため、この第２電気的機能部への液体の浸入も、これを確実に防止することができる。
【００４５】
さらに上記回転式電子部品１−１においては、防滴部材１４０の当接部１４３が、回転つまみ２００の側壁部２０３の内周側に位置しているので、回転つまみ２００の外周側の隙間Ｓ１から浸入してくる液体が、側壁部２０３の下端辺よりも高い位置にある当接部１４３に付着しにくくなり、この点からも、電気的機能部収納空間Ａ１内への液体の浸入を効果的に防止することができるばかりか、回転式電子部品１−１の高さ寸法を小さくすることができる。
【００４６】
図８〜図１２はそれぞれ、防滴部材１４０の接続部１４５の外周部分（肉厚部の部分を含む）を取付板１０と外装ケース２３０によって挟持する構造の他の例を示す要部拡大断面図である。図８に示す例においては、肉厚部を設けず、接続部１４５の外周部分を屈曲させてその上面を外装ケース２３０の下面に当接し、一方接続部１４５の外周部分の下面を取付板１０上に突設させた凸部１５の上端面に当接し、これによって上記接続部１４５の外周部分をその上下から挟持する構成としている。また図９に示す例においては、肉厚部を設けず、接続部１４５の外周部分を屈曲させてその下面を取付板１０（その上の第２回路基板２０）の上面に当接し、一方接続部１４５の外周部分の上面を外装ケース２３０の下面から突設させた凸部２３３の下端面に当接し、これによって上記接続部１４５の外周部分をその上下から挟持する構成としている。また図１０に示す例においては、肉厚部１４７Ａの高さ寸法を短く形成すると共に、取付板１０上に凸部１５Ａを突設させ、これによって、肉厚部１４７Ａを、外装ケース２３０の下面と凸部１５Ａの上端面とで挟持する構成としている。また図１１に示す例においては、肉厚部１４７Ｂの高さ寸法を短く形成すると共に、外装ケース２３０の下面から凸部２３３Ｂを突設させ、これによって、肉厚部１４７Ｂを、凸部２３３Ｂの下端面と取付板１０（その上の第２回路基板２０）の上面とで挟持する構成としている。また図１２に示す例においては、肉厚部１４７Ｃの高さ寸法を短く形成すると共に、外装ケース２３０の下面から凸部２３３Ｃを突設させ、且つ取付板１０上に凸部１５Ｃを突設させ、これによって、肉厚部１４７Ｃを、凸部２３３Ｃの下端面と凸部１５Ｃの上端面とで挟持する構成としている。即ち、防滴部材１４０の接続部１４５の外周部分（肉厚部の部分を含む）の、取付板１０と外装ケース２３０による挟持構造には種々の変形が可能であり、肉厚部は必ずしも必要ない。
【００４７】
また取付板１０の形状・寸法等の関係で、防滴部材１４０の肉厚部１４７と対向する位置に取付板１０が設けられていない部分があり、その部分の肉厚部１４７を部分的に省略している（凹部１５３を設けた部分）が、前記省略して肉薄になった部分（接続部１４５の外周部分）は、取付板１０以外の図示しない他の部品と外装ケース２３０によって挟持するように構成しても良い。また上記回転式電子部品１−１では、防滴部材１４０の肉厚部１４７中に、ケース１００の固定部１０３を避けるためにも前記凹部１５３を設けているが、前記肉厚部１４７を前記固定部１０３の外周側を囲むように形成してもよく、さらに肉厚部１４７をケース１００の固定部１０３とヒンジ部１０５の全周を囲むように全周に設けても良い。
【００４８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では第１，第２回路基板として、フレキシブル回路基板を用いたが、その代りに硬質回路基板を用いても良い。その場合は取付板を省略しても良い。また上記実施形態では本発明を多機能型電子部品に適用した例を示したが、押釦つまみや中央スイッチ等からなる押圧式電子部品や、揺動する基台や第２電気的機能部等からなる揺動式電子部品を有しない単独の回転式電子部品に本発明を適用しても良い。
【００４９】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００５０】
１−１  回転式電子部品（多機能型電子部品）
１０  取付板（取付部材）
２０  第２回路基板
２１  中央スイッチ（第２電気的機能部）
２３  押圧スイッチ（第２電気的機能部）
３０  第１回路基板
３５  摺接パターン（電気的機能部）
４０  基台
７０  摺動子（電気的機能部）
８０  クリック板
１００  ケース
１０１  ケース本体
Ａ１  電気的機能部収納空間
１０３  固定部
１０５  ヒンジ部
１０９  つまみ挿通孔
１１１  側壁部
１４０  防滴部材
１４３  当接部
１４５  接続部
１４７  肉厚部
１８０  押釦つまみ
２００  回転つまみ
２０１  本体部
２０３  側壁部
２３０  外装ケース
２３１  開口
１４７Ａ，Ｂ，Ｃ  肉厚部
【図１】
0006662687.tif 000002
【図２】
0006662687.tif 000003
【図３】
0006662687.tif 000004
【図４】
0006662687.tif 000005
【図５】
0006662687.tif 000006
【図６】
0006662687.tif 000007
【図７】
0006662687.tif 000008
【図８】
0006662687.tif 000009
【図９】
0006662687.tif 000010
【図１０】
0006662687.tif 000011
【図１１】
0006662687.tif 000012
【図１２】
0006662687.tif 000013